(57)【要約】【課題】  使い勝手の向上を図る。【解決手段】  ディスプレイ５と該ディスプレイの周囲に設けられた枠部６とを有する本体２と、枠部に着脱自在にされたフレームパネル３とを設け、装着されるフレームパネルの種類を検出するフレーム検出部１３を本体に設け、フレーム検出部の検出結果に基づいてディスプレイ上の操作に関する表示の位置又は表示の機能を変更するようにした。【選択図】図３
2005222522.tif 000002
【特許請求の範囲】
【請求項１】
ディスプレイと該ディスプレイの周囲に設けられた枠部とを有する本体と、
上記枠部に着脱自在にされたフレームパネルとを備え、
装着されるフレームパネルの種類を検出するフレーム検出部を本体に設け、
フレーム検出部の検出結果に基づいてディスプレイ上の操作に関する表示の位置又は表示の機能を変更するようにした
ことを特徴とする電子機器。
【請求項２】
上記フレームパネルに本体に対する所定の操作を行うための操作部を設けた
ことを特徴とする請求項１に記載の電子機器。
【請求項３】
上記本体に所定の操作を行うための操作部を設けた
ことを特徴とする請求項１に記載の電子機器。
【請求項４】
ディスプレイと該ディスプレイの周囲に設けられた枠部とを有する本体と、
上記枠部に着脱自在にされたフレームパネルとを備え、
本体に所定の操作を行うための操作部が設けられ、
フレームパネルに上記操作部に関する表示が付され、
上記枠部に装着されるフレームパネルの種類毎に操作部に関する表示が異なるようにした
ことを特徴とする電子機器。
【請求項５】
ディスプレイと該ディスプレイの周囲に設けられた枠部とを有する本体と、
上記枠部に着脱自在にされたフレームパネルとを備え、
該フレームパネルに所定の機能を有する機能部が設けられ、
上記枠部に装着されるフレームパネルの種類毎に機能部が異なるようにした
ことを特徴とする電子機器。
【発明の詳細な説明】
【技術分野】
【０００１】
本発明は電子機器についての技術分野に関する。詳しくは、本体の枠部に対してフレームパネルを着脱自在にすることにより、使い勝手の向上を図る技術分野に関する。
【背景技術】
【０００２】
例えば、携帯型のテレビ、パーソナルコンピューター、ＰＤＡ等の各種の電子機器には、ディスプレイ上に表示される操作画面を指や入力ペンによって操作することにより各機能を実行させることができるものがある（例えば、特許文献１参照）。また、これらの電子機器には、通常、筐体にも電源釦等の操作釦が設けられ、これらの操作釦に関する表示がそれぞれディスプレイの周囲の枠部に付されている。
【０００３】
このような電子機器においては、例えば、電源釦を操作すると、ディスプレイ上の所定の位置に各機能を実行させるためのメニュー画面等の操作画面が表示され、ユーザーが指や入力ペンによって所望の操作画面等を操作することにより操作に応じた各機能が実行される。
【０００４】
【特許文献１】特開平１１―２１５２１７号公報
【発明の開示】
【発明が解決しようとする課題】
【０００５】
ところが、上記した従来の電子機器にあっては、メニュー画面等の操作画面が常にディスプレイ上の一定の位置に表示されるため、電子機器を操作するユーザーにとっては操作が不便である場合も生じていた。例えば、操作画面がディスプレイ上の右端側に表示される場合には、利き手が右手のユーザーにとっては操作し易いが、利き手が左手のユーザーにとっては操作が不便なものとなってしまう。
【０００６】
また、ディスプレイ上の操作画面や枠部に付された表示が日本語である場合には、日本語の理解が十分でない外国人にとっては、操作に不都合が生じ誤操作の原因ともなってしまう。
【０００７】
さらに、通常、電子機器に備えられている機能は予め定められているため、ユーザーが機能の拡張を図ろうとした場合には、拡張機能を有する専用の装置を電子機器に接続する等の手段を講じなければならず、機能の拡張を容易に行うことができないという不都合もある。
【０００８】
そこで、本発明電子機器は、上記した問題点を克服し、使い勝手の向上を図ることを課題とする。
【課題を解決するための手段】
【０００９】
本発明電子機器は、上記した課題を解決するために、ディスプレイと該ディスプレイの周囲に設けられた枠部とを有する本体と、上記枠部に着脱自在にされたフレームパネルとを設け、装着されるフレームパネルの種類を検出するフレーム検出部を本体に設け、フレーム検出部の検出結果に基づいてディスプレイ上の操作に関する表示の位置又は表示の機能を変更するようにしたものである。
【００１０】
従って、本発明電子機器にあっては、枠部に装着されるフレームパネルの種類に応じてディスプレイ上の表示の位置又は表示の機能が変更される。
【００１１】
別の本発明電子機器は、上記した課題を解決するために、ディスプレイと該ディスプレイの周囲に設けられた枠部とを有する本体と、上記枠部に着脱自在にされたフレームパネルとを設け、本体に所定の操作を行うための操作部を設け、フレームパネルに上記操作部に関する表示を付し、上記枠部に装着されるフレームパネルの種類毎に操作部に関する表示を異なるようにしたものである。
【００１２】
従って、別の本発明電子機器にあっては、枠部に装着されるフレームパネルの種類に応じて操作部に関する表示が視認される。
【００１３】
また別の本発明電子機器は、上記した課題を解決するために、ディスプレイと該ディスプレイの周囲に設けられた枠部とを有する本体と、上記枠部に着脱自在にされたフレームパネルとを設け、該フレームパネルに所定の機能を有する機能部を設け、上記枠部に装着されるフレームパネルの種類毎に機能部を異なるようにしたものである。
【００１４】
従って、また別の本発明電子機器にあっては、枠部に装着されるフレームパネルの種類に応じた機能が付加される。
【発明の効果】
【００１５】
本発明電子機器は、ディスプレイと該ディスプレイの周囲に設けられた枠部とを有する本体と、上記枠部に着脱自在にされたフレームパネルとを備え、装着されるフレームパネルの種類を検出するフレーム検出部を本体に設け、フレーム検出部の検出結果に基づいてディスプレイ上の操作に関する表示の位置又は表示の機能を変更するようにしたことを特徴とする。
【００１６】
従って、枠部に装着されるフレームパネルの種類に応じてディスプレイ上の表示の位置又は表示の機能が変更されるため、ユーザーにとって使い勝手の向上を図ることができる。
【００１７】
請求項２に記載した発明にあっては、上記フレームパネルに本体に対する所定の操作を行うための操作部を設けたので、フレームパネルが本体に装着されない状態において、本体の良好なデザイン性を確保することができ、また、フレームパネルの種類によって操作部の配置位置を変更することが可能となり、ユーザーが所望の位置に配置された操作部を有するフレームパネルを選択して枠部に装着することにより、使い勝手の向上を図ることができる。
【００１８】
請求項３に記載した発明にあっては、上記本体に所定の操作を行うための操作部を設けたので、各フレームパネル毎に操作部を設ける必要がないため電子機器の製造コストの低減が図られる他、フレームパネルが枠部に装着されていない状態においても操作部に対する操作が可能であり、使い勝手の向上を図ることができる。
【００１９】
別の本発明電子機器は、ディスプレイと該ディスプレイの周囲に設けられた枠部とを有する本体と、上記枠部に着脱自在にされたフレームパネルとを備え、本体に所定の操作を行うための操作部が設けられ、フレームパネルに上記操作部に関する表示が付され、上記枠部に装着されるフレームパネルの種類毎に操作部に関する表示が異なるようにしたことを特徴とする。
【００２０】
従って、ユーザーが理解可能な表示が付されたフレームパネルを選択して枠部に装着することにより、使い勝手の向上を図ることができる。
【００２１】
また別の本発明電子機器は、ディスプレイと該ディスプレイの周囲に設けられた枠部とを有する本体と、上記枠部に着脱自在にされたフレームパネルとを備え、該フレームパネルに所定の機能を有する機能部が設けられ、上記枠部に装着されるフレームパネルの種類毎に機能部が異なるようにしたことを特徴とする。
【００２２】
従って、ユーザーが所望の機能部を有するフレームパネルを選択して枠部に装着することにより、容易に電子機器の機能の拡張を図ることができる。
【発明を実施するための最良の形態】
【００２３】
以下に、本発明電子機器の最良の形態を添付図面に従って説明する。尚、以下に示した最良の形態は、本発明電子機器を携帯可能なテレビに適用したものである。
【００２４】
尚、本発明の適用範囲はテレビに限られることはなく、ディスプレイを有する各種の電子機器、例えば、音響機器、パーソナルコンピューター等の情報処理装置、電話器やファクシミリ等に代表される通信用装置、ＰＤＡ（Personal Digital Assistant）等の情報端末装置、スチルカメラや電子カメラやビデオカメラ等の撮像装置等に広く適用することができる。
【００２５】
電子機器（テレビ）１は本体２と該本体２に着脱自在とされたフレームパネル３とを備えている（図１参照）。
【００２６】
本体２は略矩形状に形成された本体パネル４と該本体パネル４の前面に設けられたディスプレイ５とから成る。ディスプレイ５には透明な座標検出部（タッチパネル）５ａが組み込まれている。
【００２７】
本体パネル４の外周部は枠部６として形成されている。枠部６の前面部６ａには検出用コネクター部７が設けられている。枠部６の前面部６ａの４隅にはそれぞれ位置決め穴８、８、・・・が形成されている。
【００２８】
枠部６の側面部６ｂには操作部９、９、９が設けられている。操作部９、９、９としては、例えば、電源のオン・オフを行うための電源釦、テレビのチャンネルを選択するためのチャンネル釦、テレビの音量を変更するための音量釦等が設けられている。
【００２９】
フレームパネル３は枠部６と同じ大きさ及び形状に形成され、背面の４隅にそれぞれ位置決め突部３ａ、３ａ、・・・が設けられている。位置決め突部３ａ、３ａ、・・・は、それぞれフレームパネル３が枠部６に装着されるときに位置決め穴８、８、・・・に挿入され、位置決め突部３ａ、３ａ、・・・がそれぞれ位置決め穴８、８、・・・に挿入されることによりフレームパネル３の枠部６に対する位置決めが行われる。
【００３０】
フレームパネル３の背面には、枠部６に装着されたときに検出用コネクター部７に接続されるコネクター３ｂが設けられている。
【００３１】
以下に、本体２とフレームパネル３の回路構成を示す（図２参照）。
【００３２】
本体２には演算処理手段としてＣＰＵ（Central Processing Unit）１０が設けられ、該ＣＰＵ１０はメモリー１１に接続されている。メモリー１１は本体ＲＡＭ（Random Access Memory）１２及びフレーム検出部１３に接続され、メモリー１１はディスプレイ５に接続され、フレーム検出部１３は枠部６に設けられた検出用コネクター部７に接続されている。ディスプレイ５に組み込まれた座標検出部５ａは、ＣＰＵ１０に接続されている。
【００３３】
本体ＲＡＭ１２には、例えば、ディスプレイ５上に表示されるメニュー画面等の操作画面を出力するためのデーターが保存されており、ＣＰＵ１０の指令に基づいてこのデーターがメモリー１１に出力される。
【００３４】
フレームパネル３にはフレームＲＡＭ１４が設けられ、該フレームＲＡＭ１４には、例えば、ディスプレイ５上に表示されるメニュー画面等の操作画面を出力するためのデーターが保存されている。フレームＲＡＭ１４に保存されているデーターは、本体ＲＡＭ１２に保存されているデーターとは異なるデーターである。例えば、本体ＲＡＭ１２に保存されたデーターは、右利きのユーザーが電子機器１を使用するときに出力されるデーターであり、フレームＲＡＭ１４に保存されたデーターは、左利きのユーザーが電子機器１を使用するときに出力されるデーターである。
【００３５】
電子機器１において実行できる機能は、例えば、インターネット機能Ａ、電子メール機能Ｂ、アルバム機能Ｃ、テレビ機能Ｄ、ビデオ機能Ｅ等である。
【００３６】
例えば、インターネット機能Ａ及び電子メール機能Ｂは、一般に、パーソナルコンピューターや携帯電話等において使用可能なインターネット機能及び電子メール機能と同様の機能であり、アルバム機能Ｃはデジタルカメラ等によって撮影した画像を保存及び表示できる機能であり、テレビ機能Ｄはテレビを視聴することができる機能であり、ビデオ機能Ｅは離れた場所にあるビデオデッキやディスクプレーヤー等に記録された画像をリモコン操作によって表示できる機能である。
【００３７】
ディスプレイ５上に表示されるメニュー画面は、例えば、これらの各機能Ａ、Ｂ、Ｃ、Ｄ、Ｅをそれぞれ実行するための操作用の画面である。このメニュー画面等のディスプレイ５上に表示される各種の操作用の画面は、指による接触操作の他、例えば、入力ペンを用いて操作することが可能である。指による接触操作又は入力ペンを用いた操作がディスプレイ５に表示された操作用の各画面に対して行われると、座標検出部５ａによって操作された位置の座標が検出され、この検出結果に基づいた検出信号が座標検出部５ａからＣＰＵ１０に対して送出される。ＣＰＵ１０は座標検出部５ａから送出された検出信号に基づいた指令信号をメモリー１１に送出し、該メモリー１１に記憶されているデーターが読み出されて指令信号に応じた各機能が実行される。
【００３８】
電子機器１において、フレームパネル３を本体２に装着しない状態で電源釦（操作部）９を操作したときには、フレーム検出部１３によってフレームパネル３が枠部６に装着されていない旨が検出され、ＣＰＵ１０から本体ＲＡＭ１２に指令信号が出力され、該本体ＲＡＭ１２に保存されているデーターが読み出されメモリー１１に記憶される。メモリー１１に記憶されたデーターはディスプレイ５に出力され、該ディスプレイ５上の右端部にメニュー画面Ａ、Ｂ、Ｃ、Ｄ、Ｅが表示される（図３参照）。従って、ユーザーは右手で操作を行い易い状態となる。
【００３９】
一方、電子機器１において、フレームパネル３を本体２に装着した状態で電源釦（操作部）９を操作したときには、フレーム検出部１３によってフレームパネル３が枠部６に装着されている旨が検出され、ＣＰＵ１０からフレームＲＡＭ１４に指令信号が出力され、該フレームＲＡＭ１４に保存されているデーターが読み出されメモリー１１に記憶される。メモリー１１に記憶されたデーターはディスプレイ５に出力され、該ディスプレイ５上の左端部にメニュー画面Ａ、Ｂ、Ｃ、Ｄ、Ｅが表示される（図４参照）。従って、ユーザーは左手で操作を行い易い状態となる。
【００４０】
また、電子機器１において、フレームパネル３とは別のフレームパネルをも枠部６に装着可能とし、このフレームパネルに本体ＲＡＭ１２やフレームＲＡＭ１４に保存されたデーターとは異なるデーターを保存しておき、このフレームパネルが枠部６に装着されたときに、例えば、ディスプレイ５上の上端部、下端部又は中央部にメニュー画面Ａ、Ｂ、Ｃ、Ｄ、Ｅが表示されるようにしてもよい。
【００４１】
尚、上記には、フレームパネル３の枠部６への装着の有無によってディスプレイ５上に表示されるメニュー画面Ａ、Ｂ、Ｃ、Ｄ、Ｅの表示の位置が右端部又は左端部に変更される例を示したが、枠部６に第１のフレームパネルが装着されたときにメニュー画面Ａ、Ｂ、Ｃ、Ｄ、Ｅがディスプレイ５上の右端部に表示され、枠部６に第２のフレームパネルが装着されたときにメニュー画面Ａ、Ｂ、Ｃ、Ｄ、Ｅがディスプレイ５上の左端部に表示されるようにしてもよい。
【００４２】
また、上記には、ディスプレイ５上に表示される画面がメニュー画面Ａ、Ｂ、Ｃ、Ｄ、Ｅである例を示したが、ディスプレイ５上に表示される画面はメニュー画面Ａ、Ｂ、Ｃ、Ｄ、Ｅに限られることはなく、ディスプレイ５上に表示される画面は任意であり、例えば、サムネイル画面、ソフトウェアキーボード画面、メニュー画面以外の他の操作用の画面等であってもよい。
【００４３】
さらに、上記には、本体２に操作部９、９、９が設けられている例を示したが、例えば、本体２には操作部９、９、９が設けられておらず、各フレームパネル３に操作部９、９、９が設けられていてもよい（図５参照）。各フレームパネル３に操作部９、９、９が設けられている場合には、フレームパネル３が枠部６に装着されたときにフレーム検出部１３によってフレームパネル３の装着が検出され、フレームパネル３に設けられた操作部９、９、９が操作可能な状態となる。
【００４４】
フレームパネルに操作部９、９、９を設けた場合には、フレームパネルが本体２に装着されない状態において、本体２の良好なデザイン性を確保することができ、また、フレームパネルの種類によって操作部９、９、９の配置位置を変更することが可能となり、ユーザーが所望の位置に配置された操作部９、９、９を有するフレームパネルを選択して枠部６に装着することにより、使い勝手の向上を図ることができる。
【００４５】
但し、フレームパネルに操作部９、９、９を設けた場合には、フレームパネルが本体２に装着されない状態においても電子機器１の使用を可能とするために、電源釦、チャンネル釦及び音量釦等の役割を有する操作画面をディスプレイ５に表示することが望ましい。また、フレームパネル３に操作部９、９、９を設けた場合であっても、本体２側の操作によって該本体２の電源のオン・オフを行うことが可能なように、電源釦のみ本体２に設けるようにしてもよい。または、電源釦を本体２に設けることなく、フレームパネル３が本体２に装着された状態におけるフレームパネル３に設けた電源釦の操作や図示しないリモコンによる操作によって、本体２の電源のオン・オフを行うようにすることも可能である。
【００４６】
本体２に操作部９、９、９を設けた場合には、各フレームパネル毎に操作部９、９、９を設ける必要がないため電子機器１の製造コストの低減が図られる他、フレームパネルが枠部６に装着されていない状態においても操作部９、９、９に対する操作が可能であり、使い勝手の向上を図ることができる。
【００４７】
上記には、フレーム検出部１３の検出結果に基づいてディスプレイ５上の表示の位置が変更される例を示したが、フレーム検出部１３の検出結果に基づいてディスプレイ５上の表示の機能が変更されるようにしてもよい。
【００４８】
表示の機能の変更としては、例えば、表示される言語や標記が変更される場合や表示されるメニュー画面、サムネイル画面等の各画面の大きさが変更される場合等がある。表示される言語が変更され使用するユーザーの母国語が表示されたときには当該ユーザーにとって使い勝手の向上が図られ、メニュー画面等の大きさが変更されメニュー画面等が拡大表示されるときにはユーザーにとって使い勝手の向上が図られる。
【００４９】
上記には、フレーム検出部１３の検出結果に基づいて操作に関するディスプレイ５上の表示の位置又は表示の機能が変更される場合を示したが、以下には、枠部６に装着されるフレームパネルの種類を変更することにより、操作部９、９、９に関する表示が変更される場合について示す（図６参照）。
【００５０】
フレームパネル３Ａには、例えば、本体２の操作部９、９、９に関する表示が日本語で「電源」、「チャンネル」、「音量」等と表示されている。
【００５１】
フレームパネル３Ｂには、例えば、本体２の操作部９、９、９に関する表示が英語で「ＯＮ／ＯＦＦ」、「Ｃｈ．」、「Ｖｏｌ．」等と表示されている。
【００５２】
フレームパネル３Ａが枠部６に装着されたときには、日本語表示の「電源」、「チャンネル」、「音量」が各操作部９、９、９に対応して位置され、フレームパネル３Ｂが枠部６に装着されたときには、英語表示の「ＯＮ／ＯＦＦ」、「Ｃｈ．」、「Ｖｏｌ．」が各操作部９、９、９に対応して位置される。
【００５３】
従って、フレームパネル３Ａが枠部６に装着されたときには日本語を理解することができるユーザーにとって使い勝手の向上が図られ、フレームパネル３Ｂが枠部６に装着されたときには英語を理解することができるユーザーにとって使い勝手の向上が図られる。
【００５４】
尚、上記には、例として、日本語又は英語が表示されたフレームパネル３Ａ、３Ｂを示したが、フレームパネルには日本語及び英語以外の他の言語が表示されていてもよい。また、表示される言語の大きさや字体は任意である。
【００５５】
次に、枠部６に装着されるフレームパネルの種類を変更することにより、電子機器１の機能が変更される場合について示す（図７参照）。
【００５６】
フレームパネル３Ｃには、所定の機能を発揮する機能部１５が設けられている。機能部１５としては、例えば、スピーカー、照明、ラジオ、時計、温湿度計等の種々の機能を有するものが設けられている（図７に、機能部１５の例として時計を示す。）。
【００５７】
従って、フレームパネル３Ｃが枠部６に装着されたときには、フレームパネル３Ｃの機能部１５が有する機能が電子機器１に付加され、ユーザーは所望の機能部を有するフレームパネルを枠部６に装着することにより、容易に機能の拡張を図ることができる。
【００５８】
上記した最良の形態において示した各部の具体的な形状及び構造は、何れも本発明を実施する際の具体化のほんの一例を示したものにすぎず、これらによって本発明の技術的範囲が限定的に解釈されることがあってはならないものである。
【図面の簡単な説明】
【００５９】
【図１】図２乃至図７と共に本発明を実施するための最良の形態を示すものであり、本図は本体とフレームパネルを分離した状態で示す電子機器の斜視図である。
【図２】本体とフレームパネルの回路構成を示すブロック図である。
【図３】フレームパネルが装着されないときのディスプレイの表示状態を示す斜視図である。
【図４】フレームパネルが装着されたときのディスプレイの表示状態を示す斜視図である。
【図５】操作部が設けられたフレームパネルと本体とを分離した状態で示す電子機器の斜視図である。
【図６】装着されるフレームパネルの種類を変更することにより、操作部に関する表示が変更される場合について示す電子機器の斜視図である。
【図７】装着されるフレームパネルの種類を変更することにより、機能が変更される場合について示す電子機器の斜視図である。
【符号の説明】
【００６０】
１…電子機器、２…本体、３…フレームパネル、５…ディスプレイ、６…枠部、９…操作部、１３…フレーム検出部、３Ａ…フレームパネル、３Ｂ…フレームパネル、３Ｃ…フレームパネル、１５…機能部
【図１】
2005222522.tif 000003
【図２】
2005222522.tif 000004
【図３】
2005222522.tif 000005
【図４】
2005222522.tif 000006
【図５】
2005222522.tif 000007
【図６】
2005222522.tif 000008
【図７】
2005222522.tif 000009